(57)【要約】【課題】  移動機端末からローカルエリア情報を格納している特定のサーバへ接続することなく、自身の位置する周辺のローカルエリア情報を取得できるようにする。【解決手段】  無線基地局ＢＴＳ２が情報格納サーバ６からのローカルエリア情報を受信し、ローカルエリア情報格納部２８に格納し、移動機端末ＵＥ３から無線基地局ＢＴＳ２への位置登録要求の通知タイミングをトリガとして無線基地局ＢＴＳ２が格納しているローカルエリア情報を報知チャネルを使ってブロードキャストすることで、ユーザが気付かない間に移動機端末ＵＥ３へローカルエリア情報がダウンロードされる。【選択図】        図１
2006050499.tif 000002
【特許請求の範囲】
【請求項１】
所定のエリアを管轄エリアとし、管轄エリア内の移動端末装置の通信制御を行う基地局装置であって、
管轄エリア内の移動端末装置に提供するための提供情報を格納する提供情報格納部と、
管轄エリア内のいずれかの移動端末装置より、当該移動端末装置に対する通信制御を行うよう要求する制御要求を受信する制御要求受信部と、
前記制御要求受信部が制御要求を受信した場合に、前記提供情報格納部に格納されている提供情報を管轄エリア内の移動端末装置に対してブロードキャスト送信する提供情報送信部とを有することを特徴とする基地局装置。
【請求項２】
前記制御要求受信部は、
管轄エリア内のいずれかの移動端末装置より、制御要求として、当該移動端末装置の位置登録を行うよう要求する位置登録要求を受信し、
前記提供情報送信部は、
前記制御要求受信部が位置登録要求を受信した場合に、前記提供情報格納部に格納されている提供情報を管轄エリア内の移動端末装置に対してブロードキャスト送信することを特徴とする請求項１に記載の基地局装置。
【請求項３】
前記提供情報格納部は、
提供情報として、管轄エリアに関するエリア情報を格納しており、
前記提供情報送信部は、
前記制御要求受信部が制御要求を受信した場合に、前記提供情報格納部に格納されているエリア情報を管轄エリア内の移動端末装置に対してブロードキャスト送信することを特徴とする請求項１に記載の基地局装置。
【請求項４】
前記基地局装置は、更に、
提供情報を生成し更新する提供情報生成装置から、提供情報が更新される度に、更新後の提供情報を受信する提供情報受信部を有し、
前記提供情報格納部は、
前記提供情報受信部により更新後の提供情報が受信される度に、受信された更新後の提供情報を格納し、
前記提供情報送信部は、
前記情報提供格納部に更新後の提供情報が格納される度に、前記情報提供格納部に格納されている更新後の提供情報を管轄エリア内の移動端末装置に対してブロードキャスト送信することを特徴とする請求項１に記載の基地局装置。
【請求項５】
所定のエリアを管轄エリアとする基地局装置と、
前記基地局装置の管轄エリアにおいて前記基地局装置の通信制御により通信を行う一つ以上の移動端末装置とを有する通信システムであって、
移動端末装置のいずれかは、
当該移動端末装置に対する通信制御を行うよう要求する制御要求を前記基地局装置に対して送信し、
前記基地局装置は、
管轄エリア内の移動端末装置に提供するための提供情報を格納しており、
管轄エリア内のいずれかの移動端末装置より制御要求を受信した場合に、格納している提供情報を管轄エリア内の移動端末装置に対してブロードキャスト送信することを特徴とする通信システム。
【請求項６】
移動端末装置のいずれかは、
制御要求として、当該移動端末装置の位置登録を行うよう要求する位置登録要求を前記基地局装置に対して送信し、
前記基地局装置は、
管轄エリア内のいずれかの移動端末装置より位置登録要求を受信した場合に、格納している提供情報を管轄エリア内の移動端末装置に対してブロードキャスト送信することを特徴とする請求項５に記載の通信システム。
【請求項７】
移動端末装置のそれぞれは、
前記基地局装置から受信した提供情報を格納するための格納領域を有しており、
前記基地局装置から提供情報を受信する度に、格納領域に格納されている提供情報と受信した提供情報とを比較し、両者が異なる場合に、受信した提供情報を格納領域に格納することを特徴とする請求項５に記載の通信システム。
【請求項８】
前記通信システムは、更に、
提供情報を生成する複数の提供情報生成装置に接続され、特定の情報提供装置以外の提供情報生成装置で生成された提供情報をそれぞれ受信し、受信した提供情報のそれぞれを特定の提供情報生成装置に転送する提供情報転送装置を有し、
前記基地局装置は、
前記提供情報転送装置から他の提供情報生成装置の提供情報を受信した特定の提供情報生成装置より、特定の提供情報生成装置の提供情報及び他の提供情報生成装置の提供情報を受信し、受信した特定の提供情報生成装置の提供情報及び他の提供情報生成装置の提供情報を格納することを特徴とする請求項５に記載の通信システム。
【発明の詳細な説明】
【技術分野】
【０００１】
この発明は、移動体無線通信システムにおいて移動機端末に情報を提供するサービス方式に関するものである。
【背景技術】
【０００２】
図９は従来の３ＧＰＰ（３ｒｄ  Ｇｅｎｅｒａｔｉｏｎ  Ｐａｒｔｎｅｒｓｈｉｐ  Ｐｒｏｊｅｃｔ）システムを示す概念図であり、図において１ａ〜ｂは無線制御局ＲＮＣ（Ｒａｄｉｏ  Ｎｅｔｗｏｒｋ  Ｃｏｎｔｒｏｌｌｅｒ）、２ａ〜ｄは無線基地局ＢＴＳ（Ｂａｓｅ  Ｔｒａｎｓｃｅｉｖｅｒ  Ｓｔａｔｉｏｎ）、３ａ〜ｈは移動機端末ＵＥ（Ｕｓｅｒ  Ｅｑｕｉｐｍｅｎｔ）、４がコアネットワークＣＮ（Ｃｏｒｅ  Ｎｅｔｗｏｒｋ）、５がＯｐｅｒａｔｏｒの地域ネットワーク（オペレータネットワーク）、６はローカルエリア情報の格納されている情報格納サーバ、７は情報検索サーバを示している。なお、ローカルエリア情報とは、移動機端末ＵＥが所在しているエリア固有の情報であり、例えば、エリアごとの交通情報である。
【０００３】
従来システムでは、図９に示す３ａ〜ｈの移動機端末ＵＥがローカルエリア情報を取得する場合、ローカルエリア以外と同じ情報検索サーバ７へアクセスし、必要に応じて認証処理等を経て、メニューの中から得たい情報を選択することで情報格納サーバ６へリンクが張られ、情報格納サーバ６内のローカルエリア情報が移動機端末ＵＥ３ａ〜ｈへダウンロードされる。この間発呼した移動機端末ＵＥは、それに該当する２ａ〜ｄのいずれかの無線基地局ＢＴＳを中継して該当する１ａ〜ｂのいずれかの無線制御局ＲＮＣとの間に個別に無線リンクを確立する。１ａ〜ｂの無線制御局ＲＮＣと６、７の各サーバ間は、ＭＳＣ（Ｍｏｂｉｌｅ−ｓｅｒｖｉｃｅｓ  Ｓｗｉｔｃｈｉｎｇ  Ｃｅｎｔｅｒ）や各種Ｇａｔｅｗａｙの入っているコアネットワークＣＮ４によりオペレータネットワーク５を介して接続される（例えば、特許文献１及び特許文献２）。
【特許文献１】特開２００１−１６９３５５号公報
【特許文献２】特開平０８−３２２０８６号公報
【発明の開示】
【発明が解決しようとする課題】
【０００４】
上述の通り従来システムでは、移動機端末が移動するエリア毎に変化する自身の位置する周辺のローカルエリア情報を取得するために、オペレータが提供する情報格納サーバへいちいち接続し、メニュー画面から選択しなければ取得できないという問題があった。更には、情報を取得するタイミングが集中するような災害等緊急時にネットワーク負荷が増大して回線がパンクすることで必要な情報が得られないといった問題もあった。
【０００５】
この発明は移動体通信ネットワークにおいて、ユーザが移動先でオペレータの提供する情報格納サーバに接続する事無く簡単にローカルエリア情報を取得でき、公共性の高い災害緊急情報等も迅速かつ正確に取得できるシステムを実現することを主な目的とする。
【課題を解決するための手段】
【０００６】
本発明に係る基地局装置は、
所定のエリアを管轄エリアとし、管轄エリア内の移動端末装置の通信制御を行う基地局装置であって、
管轄エリア内の移動端末装置に提供するための提供情報を格納する提供情報格納部と、
管轄エリア内のいずれかの移動端末装置より、当該移動端末装置に対する通信制御を行うよう要求する制御要求を受信する制御要求受信部と、
前記制御要求受信部が制御要求を受信した場合に、前記提供情報格納部に格納されている提供情報を管轄エリア内の移動端末装置に対してブロードキャスト送信する提供情報送信部とを有することを特徴とする。
【発明の効果】
【０００７】
このように、本発明によれば、移動端末装置から基地局装置への制御要求に基づいて基地局装置が提供情報をブロードキャスト送信するため、無線回線リソースを最小限に抑えることができ、更に、移動端末装置のユーザに提供情報の取得のための操作を強いることなく、移動端末装置のユーザが気付かない間に移動端末装置が提供情報を受信することができ、提供情報の取得における利便性を高めることができる。
【発明を実施するための最良の形態】
【０００８】
実施の形態１．
以下、この発明の実施の形態１を図を参照しながら説明する。図１は本実施の形態に係る通信システムの構成例を示す図である。図１において、１ａ〜１ｂは無線制御局ＲＮＣであり、配下の無線基地局ＢＴＳ２ａ〜２ｄへ、情報格納サーバ６に格納されているローカルエリア情報を５のオペレータの地域ネットワーク（オペレータネットワーク）を介して転送する。無線基地局ＢＴＳ２ａ〜２ｄは受信したローカルエリア情報を各々のローカルエリア情報格納部２８に格納するとともに、各々配下の移動機端末ＵＥ３ａ〜３ｈへ上記ローカルエリア情報を報知する。移動機端末ＵＥ３ａ〜３ｈでは、無線基地局ＢＴＳ２ａ〜２ｄから送信されたローカルエリア情報を受信するとともに、受信したローカルエリア情報を各々のローカルエリア情報格納部３１に格納する。ローカルエリア情報は、上述したように、移動機端末ＵＥ３ａ〜３ｈが所在するエリアの情報である。無線基地局ＢＴＳ２ａ〜２ｄのそれぞれは所定のエリアを管轄エリアとしており、管轄エリア内の移動機端末ＵＥ３ａ〜３ｈの通信制御を行うとともに、管轄エリアのローカルエリア情報を管轄エリア内に所在する移動機端末ＵＥ３ａ〜３ｈへ送信する。なお、ローカルエリア情報は提供情報の例である。また、情報格納サーバ６は提供情報生成装置の例であり、無線基地局ＢＴＳ２ａ〜２ｄは基地局装置の例であり、移動機端末ＵＥ３ａ〜３ｈは移動端末装置の例である。
【０００９】
次に、情報格納サーバ６と無線基地局ＢＴＳ２ａ〜２ｄ及び移動機端末ＵＥ３ａ〜３ｈの関係を説明した詳細ブロック図を図２に示す。
【００１０】
情報格納サーバ６において、情報更新部２０は、各エリアのローカルエリア情報を更新する。ローカルエリア情報格納部２１は、情報更新部２０により更新されたローカルエリア情報を格納する。呼接続処理部２２は、エリア内ＢＴＳアドレス帳２３を用いて無線基地局ＢＴＳ２ａ〜２ｄとの呼接続処理を行う。転送データ送信部２４は、ローカルエリア情報格納部２１に格納されているローカルエリア情報を対応する無線基地局ＢＴＳ２ａ〜２ｄに送信する。
【００１１】
無線基地局ＢＴＳ２ａ〜２ｄにおいて、呼接続処理部２５は、情報格納サーバ６との呼接続処理を行う。転送データ受信部２６は、情報格納サーバ６から送信されたローカルエリア情報を受信する。ローカルエリア情報格納部２８は、転送データ受信部２６が受信したローカルエリア情報を格納する。情報更新監視回路２７は、ローカルエリア情報格納部２８に格納されているローカルエリア情報の更新の有無を監視し、ローカルエリア情報の更新を検知した場合は、更新されたローカルエリア情報をブロードキャスト送信部２９に送信するようにローカルエリア情報格納部２８に指示する。位置登録要求受信部３３は、別の無線基地局ＢＴＳの管轄エリアから当該無線基地局ＢＴＳの管轄エリアに移動してきた移動機端末ＵＥ又は電源をオンにした移動機端末ＵＥから送信された位置登録要求（制御要求）を受信し、位置登録要求を受信した際に、ローカルエリア情報をブロードキャスト送信部２９に送信するようにローカルエリア情報格納部２８に指示する。ブロードキャスト送信部２９は、ローカルエリア情報格納部２８から送信されたローカルエリア情報を管轄エリア内の移動機端末ＵＥ３にブロードキャスト送信する。なお、転送データ受信部２６は提供情報受信部の例であり、ローカルエリア情報格納部２８は提供情報格納部の例であり、ブロードキャスト送信部２９は提供情報送信部の例であり、位置登録要求受信部３３は制御要求受信部の例である。
【００１２】
移動機端末ＵＥ３ａ〜３ｈにおいて、転送データ受信部３０は対応する無線基地局ＢＴＳ２ａ〜２ｄより送信されたローカルエリア情報を受信する。ローカルエリア情報格納部３１は転送データ受信部３０により受信されたローカルエリア情報を格納する。位置登録要求送信部３２は、移動機端末ＵＥの移動により新たな無線基地局ＢＴＳの管轄エリア内に入った際、又は移動機端末ＵＥの電源がオンになった際に、対応する無線基地局ＢＴＳに対して位置登録を要求する位置登録要求を無線基地局ＢＴＳに送信する。
【００１３】
次に、動作を説明する。図３は、情報格納サーバ６においてローカルエリア情報の更新が行われた場合の動作を示している。まず、情報格納サーバ６において、情報更新部２０がローカルエリア情報が更新されたか否かを対象となる無線基地局ＢＴＳ（管轄エリア）ごとに判断する（Ｓ４０）。ローカルエリア情報が更新されている場合は、呼接続処理部２２が対応する無線基地局ＢＴＳのアドレスをエリア内ＢＴＳアドレス帳２３から取得し（Ｓ４１）、対応する無線基地局ＢＴＳに発呼する（Ｓ４２）。一方、無線基地局ＢＴＳでは、呼接続処理部２５が情報格納サーバ６からの呼を受け付け（Ｓ４３）、着呼応答を行い（Ｓ４４）、この結果、情報格納サーバ６と無線基地局ＢＴＳとの間にオペレータネットワーク５と無線制御局ＲＮＣ１ａ〜ｂを介してコネクションが張られる（Ｓ４５）。その後、情報格納サーバ６の転送データ送信部２４から無線基地局ＢＴＳ２にローカルエリア情報が送信され（Ｓ４６）、無線基地局ＢＴＳ側では転送データ受信部２６がローカルエリア情報を受信し（Ｓ４７）、ローカルエリア情報格納部２８が更新されたローカルエリア情報を格納する（Ｓ４９）。その後、無線基地局ＢＴＳ２はローカルエリア情報を受信したことを示す情報受信応答を情報格納サーバ６に送信する（Ｓ５０）。情報格納サーバ６は更新されたローカルエリア情報を送信した無線基地局ＢＴＳ２の全てからの情報受信応答を受信することで一連の処理を終了する（Ｓ５１）。それまでは情報受信応答を受信していない無線基地局ＢＴＳ２に対して一定周期でＳ４６のローカルエリア情報の送信を継続する（Ｓ４８）。
【００１４】
次に、図４を用いて無線基地局ＢＴＳ２と移動機端末ＵＥ３の動作例を説明する。先ず、無線基地局ＢＴＳ２では、情報更新監視回路２７がローカルエリア情報格納部２８に格納されているローカルエリア情報の更新有無を確認し（Ｓ５４）、ローカルエリア情報の更新が確認されると、情報更新監視回路２７はローカルエリア情報格納部２８に対して更新されたローカルエリア情報をブロードキャスト送信部２９に送信するよう指示し、ローカルエリア情報格納部２８は指示に基づいて更新されたローカルエリア情報をブロードキャスト送信部２９に送信する。ブロードキャスト送信部２９は、自局内エリアに存在する全移動機端末ＵＥ３に更新されたローカルエリア情報をブロードキャスト送信する（Ｓ５６）。ブロードキャストのため無線リソースは１チャネル分しか使用しない。移動機端末ＵＥ３では、ブロードキャスト送信されたローカルエリア情報を受信し（Ｓ５８）、受信したローカルエリア情報を無条件にローカルエリア情報格納部３１に格納し（Ｓ５９）、ローカルエリア情報を受信したことを示す情報受信応答をランダムアクセスチャネルで無線基地局ＢＴＳ２に送信する（Ｓ６０）。無線基地局ＢＴＳ２は配下の全移動機端末ＵＥ３からの情報受信応答を受信することで一連の処理を終了する（Ｓ６１）。それまでは一定周期でＳ５６のブロードキャスト送信を継続する（Ｓ５７）。
【００１５】
次に別の管轄エリアから移動してきた移動機端末ＵＥ３や電源をＯＮにした移動機端末ＵＥ３が無線基地局ＢＴＳ２へ位置登録要求を通知してきた場合について図４を用いて説明する。移動機端末ＵＥ３では、別の管轄エリアから移動してきた場合や電源がＯＮになった場合に、位置登録要求送信部３２が位置登録要求を無線基地局ＢＴＳ２に送信する（Ｓ５２）。無線基地局ＢＴＳ２では、位置登録要求受信部３３が位置登録要求を受信し（Ｓ５３）、位置登録要求の受信を確認し（Ｓ５５）、ローカルエリア情報格納部２８に対してローカルエリア情報をブロードキャスト送信部２９に送信するよう指示し、ローカルエリア情報格納部２８は指示に基づいてローカルエリア情報をブロードキャスト送信部２９に送信する。ブロードキャスト送信部２９は、自局内エリアに存在する全移動機端末ＵＥ３にローカルエリア情報をブロードキャスト送信する（Ｓ５６）。ローカルエリア情報のブロードキャスト送信後は、該当移動機端末ＵＥ３からのランダムアクセスによる情報受信応答の返信を待つ。位置登録要求を送信した移動機端末ＵＥ３では、ブロードキャストされたローカルエリア情報をローカルエリア情報格納部３１に格納し、情報受信応答を無線基地局ＢＴＳ２にランダムアクセスチャネルで返信する（Ｓ６０）。他の既存の移動機端末ＵＥ３（位置登録要求を送信していない移動機端末）は、ブロードキャストされたローカルエリア情報の内容をチェックし、自身のローカルエリア情報格納部３１に格納されているローカルエリア情報と同一の場合は無視し、不一致の場合は新たに受信したローカルエリア情報をローカルエリア情報格納部３１に格納してローカルエリア情報を更新する。
【００１６】
以上のように、本実施の形態では、１）無線基地局ＢＴＳが情報格納サーバの代役をして、ローカルエリア情報を格納し、格納したローカルエリア情報を移動機端末ＵＥにすること、２）情報格納サーバ６においてローカルエリア情報が更新された場合、及び別エリアから移動機端末ＵＥが移動してきたことにより又は移動機端末ＵＥが電源ＯＮとなったことにより位置登録要求が送信された場合に、ローカルエリア情報を移動機端末ＵＥに報知すること、３）報知されたローカルエリア情報を移動機端末ＵＥも格納することの３点が主な特徴であり、これにより回線リソースを有効活用できるとともに必要な時にのみ送信するので受信側端末では受信したことをトリガに着信音等を鳴らして喚起することも可能となる。
【００１７】
このように、本実施の形態に係る通信システムは、移動機端末ＵＥから無線基地局ＢＴＳへの位置登録要求の通知タイミングをトリガとして無線基地局ＢＴＳがその周辺ローカルエリア情報を報知チャネルを使ってブロードキャストすることで、無線回線側リソースを最小限に抑えるとともにユーザが気付かない間に端末へローカルエリア情報がダウンロードされる。また、本ローカルエリア情報は、基地局が腹持ちすることで有線回線側のトラヒックも最小限に抑えることができる。
【００１８】
また、公共性が高く誰もが取得したい自身周辺のローカルエリア情報を検索・選択する必要なく取得することが可能となる。更に、情報をユーザに一方的に送るため、災害や事故などの２次災害に繋がるような危険を回避するための情報を通知・喚起することが可能となる。よって、災害等の緊急事態発生時に移動機端末からの情報アクセストラヒックが急激に増大するような事態が発生せず、回線がパンクすることを防ぐことができる。
【００１９】
また、オペレータネットワーク５や無線制御局ＲＮＣ１ａ〜ｂに対して、各無線基地局ＢＴＳ２ａ〜ｄがそれぞれ自身配下のエリアから移動することのない１台の移動機端末ＵＥのように振舞い、実際の配下の移動機端末ＵＥ３ａ〜ｈ対しては各無線基地局ＢＴＳが持つローカルエリア情報格納部３１の内容をブロードキャストにより移動機端末ＵＥ内のローカルエリア情報格納部３１にコピーする。よって、無線基地局ＢＴＳは上位ネットワークに対しては擬似移動機端末ＵＥのように動作することで既存の上位プロトコルの変更が不要である。
【００２０】
実施の形態２．
また、実施の形態１に示す通信システムを使ったビジネスモデルの実施の形態として、ユーザが携帯電話でタクシーを呼び出すサービスを説明する。図５は上記ローカルエリア情報の内容とディレクトリ構成の一例であり、通常の携帯電話のメニュー画面から選択が可能で、図においてエリア情報のタクシーの下の○▽タクシーを選択すると、○▽タクシー会社の電話番号が表示され、通話ボタンで発信する。よって、携帯電話でローカルのタクシー会社のタクシーを簡単に呼び出し可能となる。また、オペレータはその時の通話料金とタクシー会社への掲載広告料を取得可能となり、タクシー会社も集客率を向上できる。個人タクシーなども掲載が可能である。その他、図５に戻って、エリア情報の列車情報の下の○○電鉄の最寄駅時刻表を選択すると、いつでもどこでも最寄駅時刻表が見ることができるといったことが可能である。これらはいずれも変更の少ない静的なローカルエリア情報である。また、ローカルエリア情報の他の例として、図１０に示すようなショップ情報、イベント情報、天気予報といったものも可能である。つまり、移動機端末ＵＥの所在するエリア内のショップ（レストランや生活用品など）やイベント（映画や美術館など）を移動機端末ＵＥのユーザに提示することも可能である。
【００２１】
実施の形態３．
実施の形態２に対して、リアルタイム性が要求される動的なエリア情報の提供サービスも可能である。動的な情報は、サーバのメンテナンスが問題となり通常無線通信サービスを行っているオペレータとは別ネットワークにある情報格納サーバのオペレータネットワークへの乗り入れが必要となる。これを図６に示す。図において、オペレータネットワーク５とは別ネットワーク（地域防災や電鉄会社ネットワーク等）１１の配下にある情報格納サーバ１２の更新情報を該当する無線基地局ＢＴＳ２へ配信するためのゲートウェイサーバ１０（ＧＷサーバとも表記する）をネットワーク間に挟んで上記実施の形態１の情報格納サーバ６の代役をさせる。つまり、ＧＷサーバ１０は、別ネットワークの情報格納サーバ１２のローカルエリア情報を受信し、受信したローカルエリア情報を情報格納サーバ６に転送し、情報格納サーバ６はＧＷサーバ１０から受信したローカルエリア情報（情報格納サーバ１２が送信元のローカルエリア情報）を無線基地局ＢＴＳ２を介して移動機端末ＵＥ３に送信することができる。これにより、災害緊急情報や事故により乱れている列車運行情報などをリアルタイムに通知、受信音等を使って喚起することが可能となる。よって、災害時等該当エリア内の人に適切な情報を正確に送れ、混乱を防止できるとともに災害に関する問い合わせが殺到して回線がパンクすることも回避でき、公共性の高いサービスが実現できる。なお、ＧＷサーバ１０は、提供情報転送装置の例である。また、図６では、別ネットワークの情報格納サーバ１２は一つのみであるが、ＧＷサーバ１０は複数の別ネットワークの情報格納サーバ１２からローカルエリア情報を受信し、複数の別ネットワークの情報格納サーバ１２から受信したローカルエリア情報を情報格納サーバ６に転送するようにしてもよい。
【００２２】
別ネットワークの情報格納サーバ１２とＧＷサーバ１０及び情報格納サーバ６の関係を説明した詳細ブロック図を図７に示す。図７において、ＧＷサーバ１０の転送データ受信部７２は、別ネットワークの情報格納サーバ１２より更新されたローカルエリア情報を受信する。情報更新監視回路７３は、一定周期にて、別ネットワークの情報格納サーバ１２に対して更新の有無を確認するための更新確認要求を送信し、別ネットワークの情報格納サーバ１２からの応答によりローカルエリア情報の更新の有無を確認する。アドレス変換部７４は、転送データ受信部７２により受信されたローカルエリア情報を情報格納サーバ６に転送するためのアドレスの変換を行う。転送データ送信部７５は、転送データ受信部７２で受信されたローカルエリア情報を情報格納サーバ６に転送する。
【００２３】
次に、別ネットワークの情報格納サーバ１２、ＧＷサーバ１０、情報格納サーバ６の動作例を図８のフローチャートに示す。図８において、ＧＷサーバ１０はＳ８０の定周期で別ネットワークの情報格納サーバ１２に対して更新確認要求を送信し（Ｓ８１）、別ネットワークの情報格納サーバ１２ではローカルエリア情報の更新有無を確認し（Ｓ８２）、更新の有無を示す更新確認応答をＧＷサーバ１０に送信する（Ｓ８３）。ＧＷサーバ１０では、受信した更新確認応答によりローカルエリア情報の更新有無を確認し（Ｓ８４）、更新が確認された場合、更新されたローカルエリア情報の送信を要求し（Ｓ８５）、これに対して別ネットワークの情報格納サーバ１２は更新されたローカルエリア情報を送信し（Ｓ８６）、ＧＷサーバ１０では、別ネットワークの情報格納サーバ１２からのローカルエリア情報を情報格納サーバ６へ転送する（Ｓ８７）。情報格納サーバ６ではローカルエリア情報を受信し（Ｓ９０）、受信したローカルエリア情報を格納する（Ｓ９１）。その後、情報格納サーバ６はローカルエリア情報を受信したことを示す情報受信応答をＧＷサーバ１０に送信する（Ｓ９２）。ＧＷサーバ１０は情報格納サーバ６からの情報受信応答を受信することで一連の処理を終了する（Ｓ８９）。それまでは情報格納サーバ６に対して一定周期でＳ８７のローカルエリア情報の送信を継続する（Ｓ８８）。なお、情報格納サーバ６から無線基地局ＢＴＳ２へのローカルエリア情報の送信、無線基地局ＢＴＳ２から移動機端末ＵＥ３へのローカルエリア情報のブロードキャスト送信の手順は実施の形態１と同様である。
【００２４】
このように、本実施の形態によれば、動的なローカルエリア情報も配信することが可能であり、例えば災害等の緊急事態発生時にも災害の推移を伝える動的なローカルエリア情報をリアルタイムに配信することができ、これにより、災害等の緊急事態発生時にも移動機端末からの情報アクセストラヒックが急激に増大するような事態が発生せず、回線がパンクすることを防ぐことができる。
【００２５】
なお、以上では、位置登録要求をトリガーにして無線基地局ＢＴＳ２からローカルエリア情報を移動機端末ＵＥ３にブロードキャスト送信していたが、移動機端末ＵＥ３から無線基地局ＢＴＳ２に対して要求する他の種類の制御要求をトリガーにしてもよい。
【００２６】
また、以上では、提供情報の例として、ローカルエリア情報を用いて説明したが、無線基地局ＢＴＳから移動機端末ＵＥに提供可能な情報であれば、どのような情報であってもよい。
【図面の簡単な説明】
【００２７】
【図１】実施の形態１に係る通信システムの構成例を示す図。
【図２】実施の形態１に係る情報格納サーバ、無線基地局、移動機端末の内部構成例を示す図。
【図３】実施の形態１に係る情報格納サーバ、無線基地局の動作例を示すフローチャート図。
【図４】実施の形態１に係る無線基地局、移動機端末の動作例を示すフローチャート図。
【図５】実施の形態２に係るローカルエリア情報のディレクトリ構成例を示す図。
【図６】実施の形態３に係る通信システムの構成例を示す図。
【図７】実施の形態３に係る別ネットワークの情報格納サーバ、ゲートウェイサーバ、情報格納サーバの内部構成例を示す図。
【図８】実施の形態３に係る別ネットワークの情報格納サーバ、ゲートウェイサーバ、情報格納サーバの動作例を示すフローチャート図。
【図９】従来の通信システムの構成例を示す図。
【図１０】実施の形態２に係るローカルエリア情報のディレクトリ構成例を示す図。
【符号の説明】
【００２８】
１  無線制御局ＲＮＣ、２  無線基地局ＢＴＳ、３  移動機端末ＵＥ、４  コアネットワークＣＮ、５  オペレータネットワーク、６  情報格納サーバ、７  情報検索サーバ、１０  ゲートウェイサーバ、１１  別ネットワーク、１２  別ネットワークの情報格納サーバ、２０  情報更新部、２１  ローカルエリア情報格納部、２２  呼接続処理部、２３  エリア内ＢＴＳアドレス帳、２４  転送データ送信部、２５  呼接続処理部、２６  転送データ受信部、２７  情報更新監視回路、２８  ローカルエリア情報格納部、２９  ブロードキャスト送信部、３０  転送データ受信部、３１  ローカルエリア情報格納部、３２  位置登録要求送信部、３３  位置登録要求受信部、７０  転送データ送信部、  ７１  ローカルエリア情報格納部、７２  転送データ受信部、７３  情報更新監視回路、７４  アドレス変換部、７５  転送データ送信部、７６  転送データ受信部。
【図１】
2006050499.tif 000003
【図２】
2006050499.tif 000004
【図３】
2006050499.tif 000005
【図４】
2006050499.tif 000006
【図５】
2006050499.tif 000007
【図６】
2006050499.tif 000008
【図７】
2006050499.tif 000009
【図８】
2006050499.tif 000010
【図９】
2006050499.tif 000011
【図１０】
2006050499.tif 000012